(57)【要約】      （修正有）【課題】指詰め事故防止装置をドアに施工を施す必要がなく、装置全体を戸枠側に配備する。【解決手段】ドア枠４側に固定的に取付け可能な基板１０と、この基板１０の一側面に形成された切欠状案内溝１１にその後端部が位置するように軸支されていると共に、先端部にドア１の内壁面１ａに交差状態に当接する接触子１８を有する回転アーム１５と、この回転アーム１５を先端部方向へ押し戻すダンパバネ２１と、回転アーム１５を前記ドア１に対して突っ支い棒状態となる初期位置へ付勢する復帰バネ２７とを備える。【選択図】図３
2011132758.tif 000002
【特許請求の範囲】
【請求項１】
ドア枠側に固定的に取付け可能な基板と、この基板の一側面に形成された切欠状案内溝にその後端部が位置するように軸支されていると共に、先端部にドアの内壁面に交差状態に当接する接触子を有する回転アームと、この回転アームを先端部方向へ押し戻すダンパバネと、前記回転アームを前記ドアに対して突っ支い棒状態となる初期位置へ付勢する復帰バネとを備え、前記ダンパバネの圧力が、ドアが普通の状態で閉まる所定圧よりも低い場合には、前記回転アームは前記ドアの内壁面に当たりながら該ドアが閉じる位置へと変位し、一方、前記ダンパバネが、ドアが勢いよく閉まる所定圧よりも高い場合には、前記ダンパバネが作動して前記回転アームが前記基板の切欠状案内溝の壁面に一時的にロック状態に支持されることを特徴とする指詰め事故防止装置。
【請求項２】
請求項１に於いて、ダンパバネが、ドアが勢いよく閉まる所定圧よりも高い場合には、回転アームを構成する長杆状摺動腕がダンパバネのバネ力に抗して後退動し、その後端部に設けた係合突起が切欠状案内溝のロック溝の壁面に一時的にロック状態に係合することを特徴とする指詰め事故防止装置。
【請求項３】
請求項１に於いて、回転アームは、その基端部が切欠状案内溝に位置する支軸に軸支されると共に、ダンパバネの内端部を支持する短杆状の支持腕と、この支持腕に共働するように嵌合すると共に、先端部に回転可能な接触子を有し、一方、後端部に切欠状案内溝の奥部に形成されたロック溝と係脱可能な係合突起を有する長杆状の摺動腕とから成ることを特徴とする指詰め事故防止装置。
【請求項４】
請求項１に於いて、ダンパバネは、その内端部が支持腕の自由端部に形成されたバネ収納部に支持され、一方、該バネ収納部から突出する外端部は、長杆状の摺動腕のバネ端支持部に支持され、また、復帰バネは、その中央部が支軸に巻装された状態で前記長杆状の摺動腕を付勢していることを特徴とする指詰め事故防止装置。
【発明の詳細な説明】
【技術分野】
【０００１】
本発明は指詰め事故防止装置に関し、特に、風圧のかかり易い高層マンション等の建物のドアに対してドア枠に配備される指詰め事故防止装置に関する。
【背景技術】
【０００２】
特許文献１には、「ドア衝撃保護具あるいはその装置」が開示されている。この特許文献１に記載のドア衝撃保護装置は、本願発明と同様に「指詰め事故防止装置」にするもので、基本的には、ドアの自由端部の内壁面に固定される側端開口２２のケース２と、このケースの収納室２１に転動自在に内装された環状当り片３と、一方、ドア枠の縦枠の縁部内面に固定されたストッパー４とから成り、ドアを通常の速度状態で閉めた場合には、環状当り片３は、ケースの収納室２１内に設けたレール状の底面傾斜体を滑動しながら側端開口２２から突出せず、これに対して、ドアを通常の速度よりも速い状態で閉めた場合には、前記環状当り片３は、遠心力により勢いよく前記底面傾斜体を滑動しながら側端開口２２から突出し、ドア枠の肉厚状ストッパー４に衝突するものである（符号は公報記載のものを援用）。
【０００３】
この特許文献１に記載の発明は、例えば高層マンションのドアに強風が継続的に当っている場合に於いて、ドアを通常の速度よりも速い状態で閉めたとき、環状当り片が、その遠心力により勢いよく側端開口から突出してストッパーに衝突することから、少なくともストッパーの肉厚の分に相当する間隙により、「指詰め事故」を防止することができるという効果を期待することができる。
【０００４】
しかしながら、この特許文献１の問題点は、次のとおりである。（ａ）ドアを通常の速度よりも速い状態で閉めること、環状当り片が十分な位置まで飛び出ること、環状当り片が戻らない内にストッパーに衝突すること等の条件を全て満たさない限り、指詰め事故を防止することができない。（ｂ）ストッパーを除くドア衝撃保護具を、例えばドアの自由端部の外壁面に複数本の固着具を用いて取り付けることになるが、固着具を用いて取り付けること、壁面に突起物を装着すること等は、一般の需要者に違和感を与える。また、ドアの壁面に物を付着する行為は、普通一般には行わないので、外観上の理由から好まれていない。（ｃ）ドアに強風が継続的に当っているか否かを問わず、十分に注意しながらドアを通常の速度よりも速い閉めることができない。したがって、ドアを閉める際には、常に注意深く行わなければならない。
【先行技術文献】
【特許文献】
【０００５】
【特許文献１】特開平７−２８６４７３号公報
【発明の概要】
【発明が解決しようとする課題】
【０００６】
本発明の所期の目的は、ドアに施工を施す必要がなく、装置全体を戸枠側に配備することができることである。第２の目的は、閉扉時、装置にドアを介して所定圧よりも高い圧力が加わった場合には、ドアを一時停止させ、これによりドアを閉める者に注意を喚起させることができることである。第３の目的は、構成する部品点数を少なくし、かつ、各構成部品を簡単に組み合わせることができることである。その他、バネ部材を合理的な箇所に組み込むことである。
【課題を解決するための手段】
【０００７】
本発明の指詰め事故防止装置は、ドア枠側に固定的に取付け可能な基板と、この基板の一側面に形成された切欠状案内溝にその後端部が位置するように軸支されていると共に、先端部にドアの内壁面に交差状態に当接する接触子を有する回転アームと、この回転アームを先端部方向へ押し戻すダンパバネと、前記回転アームを前記ドアに対して突っ支い棒状態となる初期位置へ付勢する復帰バネとを備え、前記ダンパバネの圧力が、ドアが普通の状態で閉まる所定圧よりも低い場合には、前記回転アームは前記ドアの内壁面に当たりながら該ドアが閉じる位置へと変位し、一方、前記ダンパバネが、ドアが勢いよく閉まる所定圧よりも高い場合には、前記ダンパバネが作動して前記回転アームが前記基板の切欠状案内溝の壁面に一時的にロック状態に支持されることを特徴とする。
【０００８】
上記構成に於いて、回転アームは、その基端部が切欠状案内溝に位置する支軸に軸支されると共に、ダンパバネの内端部を支持する短杆状の支持腕と、この支持腕に共働するように嵌合すると共に、先端部に回転可能な接触子を有し、一方、後端部に切欠状案内溝の奥部に形成されたロック溝と欠脱可能な係合突起を有する長杆状の摺動腕とから成ることを特徴とする。
【発明の効果】
【０００９】
特許文献１のように、装置をドアの自由端部に取り付ける必要はない。すなわち、ドア枠側に固定的に取付け可能な基板に対して支軸、回転アーム及びバネ部材を取付けるので、装置の全てが戸枠側の適宜個所に配備される。したがって、ドアに施工を施す必要がなく、しかも、ドアクローザの如く、装置が室外から見えない。
【００１０】
また、ドアの外壁面にかかる風圧、換言すると、装置のダンパバネにかかる所定圧を基準として回転中のドアを一時停止させるので、ドアを常に注意深く閉めなくても良い。付言すると、閉扉時、装置にドアを介して所定圧よりも高い圧力が加わった場合には、ドアは本装置により一時停止するので、これによりドアを閉める者に注意を喚起し、「指詰め事故」を防止の効果を期待することができる。
【００１１】
さらに、構成する部品点数を少なくし、かつ、各構成部品を簡単に組み合わせることができる。その他、バネ部材を合理的な箇所に組み込むことができる。
【図面の簡単な説明】
【００１２】
図１乃至図１０は、本発明の一実施例を示す各概略説明図。
【図１】実施環境を示す概略説明図（ドアの内壁面から見た状態）。
【図２】ドアの内壁面から見た主要部の概略説明図。
【図３】平面視からの実施環境の一例を示す概略説明図（ドアは閉じる方向へ移動）。
【図４】主要部の概略説明図（各部材を組み合わせた状態）。
【図５】主要部の概略説明図（各部材の分解斜視図）。
【図６】要部（回転アーム、バネ）の概略説明図。
【図７】要部（基板）の概略説明図。
【図８】通常の扉閉の場合の概略説明図。
【図９】扉閉時、高い圧力が装置に加わった場合の概略説明図。
【図１０】図９に於いて、圧力が減衰した場合の概略説明図。
【発明を実施するための最良の形態】
【００１３】
図１乃至図１０を参照にして、本発明の一実施例を説明する。まず、図１は開き扉（以下、「ドア」という）１を部屋の室内から見た環境説明図である。したがって、１ａはドア１の内壁面、２は該内壁面１ａの自由端部に内側取付け座３を介して回動可能に取付けられたサムターン、４はドア枠、４ａはドア枠を構成するかもい（上の横枠）、４ｂはドア枠を構成するドア１の自由端部側の縦枠である。
【００１４】
図１、図２から明らかなように、本発明の指詰め事故防止装置Ｘは、前記ドア１の自由端部側の縦枠４ｂに直接又は固着具、接着層、ブラケット等の固定手段を介して間接的に配備される。本実施例では、指詰め事故防止装置Ｘは、例えばＬ字形状のブラケット５、複数本の固着具６、両面接着テープ７をそれぞれ介して間接的に縦枠４ｂに固定されている。
【００１５】
さて、１０は、ドア枠４の上の横枠４ａや縦枠４ｂに固定的に取付け可能な基板で、この基板１０は、例えば図５を基準にすると、一側上面に切欠状案内溝１１を有している。この切欠状案内溝１１は、ドア１の内壁面１ａに対面する垂直側面１０ａと該垂直側面に交差する向こう側の垂直側面１０ｂの交点部位ａから対角線上の交点部位ｂに向かって所要量形成された幅広凹所状案内溝１１ａと、その切欠端が幅広凹所状案内溝１１ａと連通するように前記垂直側面１０ａの反対側の垂直側面１０ｃに向かって指先状に形成されたロック溝１１ｂとから成っている。
【００１６】
なお、幅広凹所状案内溝１１ａを形成する不番の幅広底面（スライド面）と直交する幅広凹所状案内溝１１ａのやや弧状壁面や傾斜状壁面、或いはロック溝１１ｂを形成する壁面の一側面は、回転アームを所定角度位置に停止させるストッパー機能を有している。本実施例では、図３で示すように、回転アーム１５は、支軸１２よりも奥に位置する係合突起１９がロック溝１１ｂの一側面１１ｃに当るので、待機時、回転中のドア１の内壁面１ａに対してやや右斜め方向に傾斜している。
【００１７】
１２は幅広凹所状案内溝１１ａの幅広底面の略中央部に垂直状態に設けられた支軸で、この支軸１２は、例えば上端部にフランジを有するオネジで、前記幅広底面に形成したメネジにねじ込まれる。
【００１８】
次に、１５は、基板１０の切欠状案内溝１１にその後端部が位置するように支軸１２を介して軸支されていると共に、先端部にドア１の内壁面１ａに交差状態に当接する接触子を有する単数又は複数の回転アームで、本実施例では、その基端部１６ａが切欠状案内溝１１に位置する支軸１２に軸支されると共に、ダンパバネ２１の内端部２１ａを支持する短杆状支持腕１６と、この支持腕１６に共働するように外嵌合すると共に、先端部に回転可能な接触子１８を有し、一方、後端部１７ａに切欠状案内溝１１の奥部に形成されたロック溝１１ｂと係脱可能な係合突起１９を有する長杆状摺動腕１７とから成る。
【００１９】
ところで、本実施例の短杆状支持腕１６の基端部１６ａには、前述した支軸１２が貫通する軸孔２２が形成され、一方、自由端部側には、その先端面から基端部１６ａに向かって所定長の穴が形成されており、該所定長の穴がダンパバネ２１の内端部２１ａを収納支持するバネ支持部２３となっている。また、前記接触子１８は、不番の軸を介して回転自在に設けられたローラである。また、係合突起１９は、下向きみぞ形状に形成された長杆状摺動腕１７の上壁の後端小突起状部分に垂設状態に固定された係合ピンである。さらに、本実施例では、長杆状摺動腕１７の上壁の後端部側には、その長手方向に所定長の長孔２４が形成されていると共に、長杆状摺動腕１７の先端部の内部には、ダンパバネ２１の外端部２１ｂを受けるバネ端支持部２５が設けられている。
【００２０】
次に、指詰め事故防止装置Ｘは、複数個のバネ部材を備えている。その一つは、回転アーム１５を構成する長杆状摺動腕１７を先端部方向へ押し戻すダンパバネ２１で、このダンパバネの外端部２１ｂは、前述したように、長杆状摺動腕１７のバネ端支持部２５に当接した状態で、その内端部２１ａは短杆状支持腕１６のバネ支持部２３に収納されている。
【００２１】
そして、もう一つは、回転アーム１５をドア１の内壁面１ａに対して突っ支い棒状態となる初期位置へ付勢する復帰バネ２７で、この復帰バネ２７は、その中央部が支軸１２に巻装された状態で長杆状の摺動腕１７を付勢している。付言すると、復帰バネ２７の一端部２７ａは、基板１０の傾斜面に当接し、他端部２７ｂは長杆状摺動腕１７の内壁面に適宜に当接している。
【００２２】
上記構成に於いて、ダンパバネ２１が、ドア１が勢いよく閉まる所定圧よりも高い場合には、回転アーム１５を構成する長杆状摺動腕１７はダンパバネ２１のバネ力に抗して後退動し、その後端部に設けた係合突起１９が切欠状案内溝１１のロック溝１１ｂに入りこみ、該ロック溝１１ｂの壁面でもって一時的にロック状態に係止される。したがって、回転アーム１５は、即座にはドア１を閉じる方向へと回転しない。
【００２３】
図８は通常の扉閉の場合の概略説明図である。図３及び図８を参照にして、通常の扉閉の場合について説明すると、一定圧力以下では、ダンパバネ２１は作動せず、回転アーム１５の長杆状摺動腕１７は短杆状支持腕１６と共働して、矢印で示す方向にそのまま旋回して行く。付言すると、ダンパバネ２１の圧力が、ドア１が普通の状態で閉まる所定圧よりも低い場合には、回転アーム１５はドア１の内壁面１ａに当たりながら該ドアが閉じる位置へと変位する。
【００２４】
なお、図３で示すように、ドア１の内壁面が接触子１８に当るとき、該接触子１８が内壁１ａに沿って内側（室内）に滑動するように復帰バネ１８、切欠状案内溝１１のストッパー面等が適宜に設けられている。また、前述したように、図３は回転アーム１５が待機待ち状態のとき、ドア１の内壁面１ａに対して直角ではなく、内側（室内）に若干傾倒していることを示す。
【００２５】
これに対して、図９は扉閉時、所定圧よりも高い圧力が装置に加わった場合の概略説明図である。今仮に、高層マンションのドア１の外壁面に所定圧よりも高い圧力が装置に加わるような自然の風圧（強風）が、継続的に当っている場合には、当然、扉閉時には指詰め事故防止装置Ｘにもドア１の内壁面１ａを介して加わることになる。そこで、扉閉の際、強風がドア１を加圧している場合、換言すると、ダンパバネ２１が、ドア１が勢いよく閉まる所定圧よりも高い場合には、該ダンパバネ２１が作動して、回転アーム１５が基板１０の切欠状案内溝１１の壁面（本実施例では、ロック溝１１ｂの壁面）に一時的にロック状態に支持される。そして、圧力が減衰した場合にはロック状態が解消され、図１０で示すように接触子は、ドアの内壁面によって位置変位する。
【実施例】
【００２６】
本実施例では、回転アーム１５は、その基端部１６ａが切欠状案内溝１１に位置する支軸１２に軸支されると共に、ダンパバネ２１の内端部２１ａを支持する短杆状の支持腕１６と、この支持腕に共働するように嵌合すると共に、先端部に回転可能な接触子１８を有し、一方、後端部に切欠状案内溝１１の奥部に形成されたロック溝１１ｂと係脱可能な係合突起１９を有する長杆状の摺動腕１７とから成る。
【００２７】
しかしながら、長杆状摺動腕の構造を適宜に設計変更すると共に、前記ダンパバネ２１を、例えば長杆状摺動腕の後端部に形成したバネ端収納室と基板１０の切欠状案内溝１１の弧状ストッパー面との間に配設することにより、回転アーム１５を一つの部材にすることもできる。
【００２８】
また、本実施例では、支軸１２に抜け止め防止機能をもたせ、例えばそのフランジでもって長杆状摺動腕１７が短杆状支持腕１６から抜けないように構成しているが、各腕１６，１７に係合部、被係合部を形成することにより、長杆状の摺動腕１７が短杆状の支持腕１６から抜けないように構成することができる。
【００２９】
さらに、復帰バネ２７は、回転アームを前記ドアに対して突っ支い棒状態となる初期位置へ付勢するが、そのバネ力、突っ支い棒がドア１の内壁面１ａに当る位置等を考慮して、適宜に設定されている。
【産業上の利用可能性】
【００３０】
錠前や建具の業界で用いられる。
【符号の説明】
【００３１】
Ｘ…指詰め事故防止装置、１…ドア、１ａ…ドア１の内壁面、４…ドア枠、４ｂ…自由端部側の縦枠、５…ブラケット、１０…基板、１１…切欠状案内溝、１１ａ…幅広凹所状案内溝、１１ｂ…ロック溝、１２…支軸、１５…回転アーム、１６…短杆状支持腕、１６ａ…基端部、１７…長杆状摺動腕、１８…接触子、１９…係合突起、２１…ダンパバネ、２１ａ…内端部、２２…軸孔、２３…バネ支持部、２５…バネ端支持部、２７…復帰バネ。
【図１】
2011132758.tif 000003
【図２】
2011132758.tif 000004
【図３】
2011132758.tif 000005
【図４】
2011132758.tif 000006
【図５】
2011132758.tif 000007
【図６】
2011132758.tif 000008
【図７】
2011132758.tif 000009
【図８】
2011132758.tif 000010
【図９】
2011132758.tif 000011
【図１０】
2011132758.tif 000012